(57)【要約】      （修正有）【課題】脱いだ履物を自動的に１８０度回転して履く方向に揃える回転式履物揃え装置を提供する。【解決手段】履物脱ぎ履き回転台２が回転台収納筺体３に設けられており、該履物脱ぎ履き回転台２上に人が乗るとその重さが回転始動指示となり、次の動作である履物４、４’を脱ぎ降りる事による重量変化を感知した後に該履物脱ぎ履き回転台２が１８０度回転することを特徴とする回転式履物揃え装置１である。履物４、４’を脱いだ後、そのままにしておけば自動的に足先を履く反対方向へと１８０度回転させるので、履物４、４’をかがみこんで揃える必要が無くなり解決する。【選択図】図１
0003202686.tif 000002
【実用新案登録請求の範囲】
【請求項１】
履物脱ぎ履き回転台が回転台収納筺体に設けられており、該履物脱ぎ履き回転台上に人が乗るとその重さが回転始動指示となり、次の動作である履物を脱ぎ降りる事による重量変化を感知した後に該履物脱ぎ履き回転台が１８０度回転することを特徴とする回転式履物揃え装置。
【請求項２】
前記履物脱ぎ履き回転台が、電動モータ又はバネを用いて回転させることを特徴とする請求項１記載の回転式履物揃え装置。
【考案の詳細な説明】
【技術分野】
【０００１】  本考案は、主に玄関の上り口で履物を脱ぎ履きする土間部分に設置し、脱いだ履物を自動的に１８０度回転して履く方向に揃える回転式履物揃え装置に関するものである。
【背景技術】
【０００２】  玄関で履物を脱ぐと、一度かがみこんで履物が履きやすいように手で１８０度回転させて揃えていた。もしくは脱ぐ際に後ろ向きに履物を脱いで揃えていた。
【考案の概要】
【考案が解決しようとする課題】
【０００３】  しかしながら履物を揃えるために、一度かがみこんだりする際に土間と上り口との段差が有る場合等は、老人や介護の必要な人達には大変しづらい動作となる課題が有った。【０００４】  又、脱ぐ際に後ろ向きで履物を脱いで揃えるという動作も大変不安定なもので転倒する課題が有った。
【課題を解決するための手段】
【０００５】  前記課題を解決するために本考案は、履物脱ぎ履き回転台が回転台収納筺体に設けられており、該履物脱ぎ履き回転台上に人が乗るとその重さが回転始動指示となり、次の動作である履物を脱ぎ降りる事による重量変化を感知した後に該履物脱ぎ履き回転台が１８０度回転することを特徴とする回転式履物揃え装置とする。【０００６】  更に前記履物脱ぎ履き回転台が、電動モータ又はバネを用いて回転させることを特徴とした回転式履物揃え装置である。
【考案の効果】
【０００７】  本考案の回転式履物揃え装置は、以上のような構成であるため、例えば外出から帰宅した折に玄関で履物を揃えないまま土間から上がり口に入っても履物脱ぎ履き回転台には電動モータ又はバネの力を利用して１８０度回転するように予めその機構構造が設けられているため、該履物脱ぎ履き回転台上に人が乗るとその重さでスイッチが入り、次の動作の履物を脱いで上り口に人が移動したことによる重量変化を感知して該履物脱ぎ履き回転台が１８０度回転して自動的に履物を外出時のいわゆる履く方向に揃えるため、老人や介護の必要な人達もかがみこんだりする必要が無くなるという効果が得られる。【０００８】  又、脱ぐ際に後ろ向きで履物を揃えながら脱ぐような不安定で危険な動作も必要が無くなるものとなる。【０００９】  そして本考案の回転式履物揃え装置は、回転台収納筺体に設けられているため、個人宅の玄関、老人ホーム等の介護施設、座敷等に上がる飲食店、旅館、ホテル等不特定多数の人が使用する場所においてその効果を発揮するものとなる。
【図面の簡単な説明】
【００１０】
【図１】本考案の一実施例を示す斜視図である。
【図２】本考案の一使用例を示す斜視図である。
【考案を実施するための形態】
【００１１】  本考案における回転式履物揃え装置の大きさ、デザイン、材質、製造方法、内部構造等は特に限定されないが、電動モータにて履物脱ぎ履き回転台を１８０度させる場合には、例えば履物脱ぎ履き回転台の回転中心軸を直接電動モータで外部からの電力供給によって回転台収納筺体内で回転式履物揃え装置させれば良い。もちろん充電式としても良い。
【００１２】  一方電力を用いず、バネの反発力を利用して機械的に回転台を１８０度回転させても良い。例えば、履物脱ぎ履き回転台の回転中心軸にバネを設けておき、該中心軸から放射方向に伸びたカムが１８０度で展開して元の高さになる段差上を滑る事で構成すれば良い。
【００１３】  もちろん前記電動モータ又はバネのどちらかを用いた場合も履物脱ぎ履き回転台の外周にクラッチを設けておけば、履物脱ぎ履き回転台に急に人が乗った場合もブレーキの役目となり安全に使用出来る。
【００１４】  履物脱ぎ履き回転台のその上側表面は、履物を脱ぎ履きするための滑り止め用のゴム素材から構成されている事が好ましく、回転式履物揃え装置の設置する下面にも滑り止め用のゴム足等が設けられているのが好ましい。
【００１５】  いずれにしても履物脱ぎ履き回転台上に人が乗るとその重さによって電動モータの場合、回転始動のスイッチが入り、又バネを用いた場合、バネが縮み回転始動のための反発によるエネルギーが蓄えられて回転始動準備が整う事になる。
【００１６】  このようにして人が乗った履物脱ぎ履き回転台はまだその時点では回転をスタートはせず、人が履物を脱ぎ、履物脱ぎ履き回転台から降りる事に拠る重量が軽くなった変化をそれぞれ感知した後、電動モータであれば１８０度ゆっくりと回転することとなり、一方バネを用いた場合は放射状に伸びたカムが１８０度で展開して元の高さになる段差上をゆっくりと回転し半周した位置で止まるものとなる。
以下、実施例と図に基づき説明する。
【実施例】
【００１７】  以下、本考案の一実施例を図１及び図２で説明するがこれによって本考案は何ら限定されるものではない。【００１８】  図１は、本考案の回転式履物揃え装置（１）を斜めから見た一例を示す斜視図である。矩形の形状からなる回転台収納筺体（３）のほぼ中央に履物脱ぎ履き回転台（２）が設置されており、その上に履物（４）、（４’）が一足揃えて置かれている。【００１９】  なお、この回転台収納筺体（３）の内部に電動モータ又はバネを用いて履物脱ぎ履き回転台（２）を回すための動力機構や人の乗り降りにより始動するための感知部位等がまとめて構成されている。【００２０】  又、履物脱ぎ履き回転台（２）は滑り止め素材としてゴム系材料から製造されている。【００２１】  図２は、図１の使用例を示す説明図であり、玄関にある土間（５）に設置した本考案の回転式履物揃え装置（１）を上から見た図であり、まず左のように玄関から人が入って履物脱ぎ履き回転台（２）の上でそのまま上り口（６）に足先を向けて履物（４）、（４’）を脱ぐと、図１において説明したように回転台収納筺体（３）の内部に設置された電動モータ又はバネにより、履物（４）、（４’）が１８０度自動的に回転して足先が玄関方向に向き、履物（４）、（４’）をすぐ履けるようになるという態様を示している。
【産業上の利用の可能性】
【００２２】  本考案の回転式履物揃え装置は、履物を脱いだ後、そのままにしておけば自動的に足先を履く反対方向へと１８０度回転させるので、一度かがみこんで履物を揃える必要が無くなるため、老人や介護の必要な人達、座敷等に上がる飲食店、旅館、ホテル等において利用価値の高い優れたものとなる。
【符号の説明】
【００２３】１  回転式履物揃え装置    ２  履物脱ぎ履き回転台
３  回転台収納筺体    ４、４’履物    ５  土間    ６  上り口
【図１】
0003202686.tif 000003
【図２】
0003202686.tif 000004